(57)【要約】【課題】比較的安価であり、かつ、比較的容易に製造することができる美麗な帯状体を提供する。【解決手段】帯揚１は、ポリエステル製の生地で構成され、非プリーツ部４が、長尺の帯揚１の長手方向の両端部に形成され、プリーツ部３が、非プリーツ部４同士の間の全体に形成されている。プリーツ部３は、絞り加工に倣った柄が施されている。【選択図】図１
0003216861.tif 000002
【実用新案登録請求の範囲】
【請求項１】
着物の小物に含まれる帯状体であって、
ポリエステル製の生地にプリーツが施された、
ことを特徴とする帯状体。
【請求項２】
プリーツが施されていない非プリーツ部が、長手方向の両端部に形成され、プリーツが施されたプリーツ部が、前記非プリーツ部同士の間の全体に形成された帯揚である、
ことを特徴とする請求項１に記載された帯状体。
【請求項３】
プリーツが施されたプリーツ部が全体に形成された半衿である、
ことを特徴とする請求項１に記載された帯状体。
【請求項４】
絞り加工に倣った柄である、
ことを特徴とする請求項１から請求項３のいずれか１項に記載された帯状体。
【考案の詳細な説明】
【技術分野】
【０００１】
本考案は、着物に用いられる帯状体に関するものである。
【背景技術】
【０００２】
従来、着付けに用いられる様々な帯状の小物があり、例えば、帯枕に被せられる帯揚や、襦袢の衿に縫い付けられる半衿などがある。例えば、下記特許文献１に記載された帯揚は、帯枕を包むための包み込み部が予め形成されているため、着用者は帯枕を容易に包むことができる。また、下記特許文献２に記載された半衿は、例えばホックなどを用いて襦袢の衿に着脱されるため、着用者は容易に半衿を着脱することができる。
【０００３】
帯揚や半衿は、機能的な用途の他に、装飾的な用途も存在するため、様々な装飾が施されている。
【先行技術文献】
【特許文献】
【０００４】
【特許文献１】登録実用新案第３２０１４１６号公報
【特許文献２】特許第６１６６４９０号公報
【考案の概要】
【考案が解決しようとする課題】
【０００５】
しかし、例えば、絹などの素材は、高価なうえに形状が定着し難く、また、いわゆる絞り加工などは、製造費用が高い。
【０００６】
本考案は、上記の実情に鑑みて提案されたものである。すなわち、比較的安価であり、かつ、比較的容易に製造することができる美麗な帯状体の提供を目的とする。
【課題を解決するための手段】
【０００７】
上記目的を達成するために、本考案に係る帯状体は、着物の小物に含まれる帯状体であって、ポリエステル製の生地にプリーツが施された、ことを特徴とする。
【０００８】
本考案に係る帯状体は、プリーツが施されていない非プリーツ部が、長手方向の両端部に形成され、プリーツが施されたプリーツ部が、前記非プリーツ部同士の間の全体に形成された帯揚である、ことを特徴とする。
【０００９】
本考案に係る帯状体は、プリーツが施されたプリーツ部が全体に形成された半衿である、ことを特徴とする。
【００１０】
本考案に係る帯状体は、絞り加工に倣った柄である、ことを特徴とする。
【考案の効果】
【００１１】
本考案に係る帯状体は、着物の小物に含まれる帯状体であって、ポリエステル製の生地にプリーツが施されたものである。すなわち、ポリエステル製であれば、安価なうえに加工も容易である。また、プリーツによって、例えば立体的で美麗な風合いを現すことができる。したがって、比較的安価であり、かつ、比較的容易に美麗な帯状体を製造することができる。
【００１２】
本考案に係る帯状体は、プリーツが施されていない非プリーツ部が、長手方向の両端部に形成され、プリーツが施されたプリーツ部が、非プリーツ部同士の間の全体に形成された帯揚である。したがって、比較的安価であり、かつ、比較的容易に美麗な帯揚を製造することができる。
【００１３】
本考案に係る帯状体は、プリーツが施されたプリーツ部が全体に形成された半衿である。したがって、比較的安価であり、かつ、比較的容易に美麗な半衿を製造することができる。
【００１４】
本考案に係る帯状体は、絞り加工に倣った柄である。したがって、比較的安価であり、かつ、比較的容易に、美麗な絞り加工の風合いを現すことができる。
【図面の簡単な説明】
【００１５】
【図１】図１は、本考案の第一実施形態に係る帯状体の外観斜視図である。
【図２】図２は、本考案の第二実施形態に係る帯状体の外観斜視図である。
【考案を実施するための形態】
【００１６】
以下に、本考案の実施形態に係る帯状体を図面に基づいて説明する。図１は、第一実施形態に係る帯状体としての帯揚１の外観が示され、図２は、第二実施形態に係る帯状体としての半衿２の外観が示されている。
【００１７】
図１に示されているとおり、帯揚１は、例えば、ポリエステル製の生地で構成され、長尺である。ポリエステルは、例えば、ポリエチレンテレフタレート、ポリエチレンナフタレート、ポリトリメチレンテレフタレート、ポリブチレンテレフタレートなどである。帯揚１は、プリーツが施されたプリーツ部３と、プリーツが施されていない非プリーツ部４とを有している。詳説すれば、非プリーツ部４は、帯揚１の長手方向の両端部に形成され、プリーツ部３は、非プリーツ部４同士の間の全体に形成されている。プリーツ部３は、非プリーツ部４よりも長く形成されている。なお、非プリーツ部４は、着用者が帯揚１を結ぶ際に把持されて力が加えられるため、また、帯の内側に入れ込みやすくするために、プリーツ加工が施されていない。
【００１８】
図２に示されているとおり、半衿２は、帯揚１と同様に、例えば、ポリエステル製の生地で構成され、長尺であり、帯揚１よりも短い。半衿２は、全体がプリーツ部３で形成されている。
【００１９】
プリーツによる柄は、例えば、絞り加工に倣った柄である。なお、絞り加工は、例えば、疋田絞、一目絞、傘巻絞、帽子絞、縫締絞、唄絞、針疋田絞、針一目絞、桶絞、板締絞、三浦絞、縫い〆絞、ボタン絞、人目絞などの各技法から選択される。
【００２０】
次に、プリーツの加工手順を説明する。
【００２１】
裁断工程では、ポリエステル生地が、所定の帯揚１または半衿２の大きさに裁断される。生地は、後にプリーツが施されて収縮するため、収縮の度合いを考慮して、収縮後に所定の大きさとなるように裁断される。
【００２２】
ミシン工程では、裁断後の生地の四辺がミシンで加工され、皺がアイロンで伸ばされる。
【００２３】
シート貼り合わせ工程では、ビニール製のシートが生地に重ねられる。
【００２４】
柄加工工程では、選択された柄に応じてミシンで加工される。ミシン糸は、水溶性である。
【００２５】
熱処理工程では、高温を経て生地に形状が定着される。
【００２６】
洗浄工程では、水洗いでミシン糸が溶かされる。ビニールシートは、生地から外される。
【００２７】
プレス工程では、プレス加工が施される。以上の工程を経て、製品が完成する。
【００２８】
上記したとおり、帯揚１は、ポリエステル製の生地であり、非プリーツ部４が、長手方向の両端部に形成され、プリーツ部３が、非プリーツ部４同士の間の全体に形成されている。また、半衿２は、帯揚１と同様に、例えば、ポリエステル製の生地で構成され、全体がプリーツ部３で形成されている。すなわち、ポリエステル製であれば、安価なうえに加工も容易である。また、プリーツによって、例えば立体的で美麗な風合いを現すことができる。したがって、比較的安価であり、かつ、比較的容易に美麗な帯揚１および半衿２を製造することができる。
【００２９】
帯揚１または半衿２は、絞り加工に倣った柄が、プリーツによって実現されている。したがって、比較的安価であり、かつ、比較的容易に、美麗な絞り加工の風合いを現すことができる。
【００３０】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００３１】
１                帯揚（帯状体）
２                半衿（帯状体）
３                プリーツ部
４                非プリーツ部
【図１】
0003216861.tif 000003
【図２】
0003216861.tif 000004